(57)【要約】【課題】  原稿に形成された画像から機密が漏洩するのを防止すること。【解決手段】  ＭＦＰは、デジタル情報が埋め込まれた地紋パターンを含む原稿画像が形成された原稿を読み取り、原稿画像を出力する画像読取部（Ｓ０１）と、画像読取部から出力される原稿画像から所定のパターンを検出する地紋パターン検出部（Ｓ０３）と、検出された所定のパターンを解析し、デジタル情報を抽出するデジタル情報検出部（Ｓ０５）と、抽出されたデジタル情報に基づいて、出力するためのデータを制御するＣＰＵ（Ｓ０６、Ｓ０７）と、を備える。【選択図】        図７
2008271099.tif 000002
【特許請求の範囲】
【請求項１】
デジタル情報が埋め込まれた地紋パターンを含む原稿画像が形成された原稿を読み取り、原稿画像を出力する読取手段と、
前記読取手段から出力される原稿画像から所定のパターンを検出する検出手段と、
検出された前記所定のパターンを解析し、デジタル情報を抽出する抽出手段と、
抽出された前記デジタル情報に基づいて、出力するためのデータを制御するデータ制御手段と、を備えた画像読取装置。
【請求項２】
ユーザを識別するための識別情報を受け付けるユーザ識別手段をさらに備え、
前記データ制御手段は、受け付けられた前記識別情報に基づいて、抽出された前記デジタル情報のうちから出力する部分を選択する選択手段を含む、請求項１に記載の画像読取装置。
【請求項３】
抽出された前記デジタル情報が認証情報を含む場合、前記認証情報が受け付けられることを条件に認証する認証手段をさらに備え、
前記データ制御手段は、抽出された前記デジタル情報が認証情報を含む場合、前記認証手段により認証されることを条件に前記デジタル情報を表示する、請求項１に記載の画像読取装置。
【請求項４】
記録媒体に画像を形成する画像形成手段をさらに備え、
前記データ制御手段は、前記デジタル情報が前記原稿の複写を禁止する情報を含んでいる場合、前記画像形成手段による前記原稿画像の形成を禁止する、請求項１に記載の画像読取装置。
【請求項５】
記録媒体に画像を形成する画像形成手段をさらに備え、
前記データ制御手段は、前記デジタル情報が前記原稿の一部の複写を禁止する情報を含んでいる場合、前記原稿画像から前記原稿の複写が禁止されている前記部分を除く部分画像を生成する部分画像生成手段を含み、
前記画像形成手段は、前記部分画像を記録媒体に形成する、請求項１に記載の画像読取装置。
【請求項６】
前記抽出手段は、前記読取手段により複数枚の原稿が読み取られる場合、前記検出手段により複数枚の前記原稿からそれぞれ検出される複数の前記所定のパターンをまとめて解析し、デジタル情報を抽出する、請求項１に記載の画像読取装置。
【請求項７】
前記データ制御手段は、前記読取手段により複数枚の原稿が読み取られる場合、前記原稿画像が出力される毎に、前記デジタル情報の表示を切り換える、請求項１に記載の画像読取装置。
【請求項８】
前記データ制御手段は、抽出された前記デジタル情報に基づいて、前記読取手段から出力される前記原稿画像の表示を制御する、請求項１に記載の画像読取装置。
【請求項９】
デジタル情報が埋め込まれた地紋パターンを含む原稿画像が形成された原稿を読み取るステップと、
読み取って得られる原稿画像から所定のパターンを検出するステップと、
検出された前記所定のパターンを解析し、デジタル情報を抽出するステップと、
抽出された前記デジタル情報に基づいて、出力するためのデータを制御するステップと、を含む画像読取方法。
【請求項１０】
デジタル情報が埋め込まれた地紋パターンを含む原稿画像が形成された原稿を読み取るステップと、
読み取って得られる原稿画像から所定のパターンを検出するステップと、
検出された前記所定のパターンを解析し、デジタル情報を抽出するステップと、
抽出された前記デジタル情報に基づいて、出力するためのデータを制御するステップと、をコンピュータに実行させる画像読取プログラム。
【発明の詳細な説明】
【技術分野】
【０００１】
この発明は、画像読取装置、画像読取方法および画像読取プログラムに関し、特にデジタル情報が埋め込まれた画像を読み取るのに適した画像読取装置、画像読取方法および画像読取プログラムに関する。
【背景技術】
【０００２】
従来、原稿に形成された画像を読み取り、画像から文字を認識し、認識した文字を表示する技術が知られている。例えば、特開平１１−０８８６３３号公報に記載のＥメール送受システムは、読取画像に含まれる通信情報の記入領域から少なくとも送信先のＥメールアドレスを認識する情報認識手段と、認識された少なくとも送信先のＥメールアドレスを含む通信情報を記憶するアドレス記憶手段と、記憶されている送信先のＥメールアドレスを表示出力する表示手段と、を備えている。
【０００３】
しかしながら、原稿にＥメールアドレスを人が解読可能な文字の画像として形成しなければならないので、Ｅメールアドレスを表す文字の画像が原稿に不必要に形成されてしまうといった問題がある。
【０００４】
また、特開平６−２２１１９号公報には、デジタル情報が埋め込まれた地紋パターンの画像を原稿に形成する技術が記載されている。この技術によれば、埋め込まれたデジタル情報が解読不可能な地紋パターンの画像として形成されるので、原稿を見る人にデジタル情報が知られるのを防止することができる。しかしながら、原稿画像に機密情報が含まれている場合に、原稿画像が複写されると機密を含む画像が複製されてしまうといった問題がある。
【特許文献１】特開平１１−０８８６３３号公報
【特許文献２】特開平６−２２１１９号公報
【発明の開示】
【発明が解決しようとする課題】
【０００５】
この発明は上述した問題点を解決するためになされたもので、この発明の目的の一つは、原稿に形成された画像から機密が漏洩するのを防止することが可能な画像読取装置を提供することである。
【０００６】
この発明の他の目的は、原稿に形成された画像から機密が漏洩するのを防止することが可能な画像読取方法および画像読取プログラムを提供することである。
【課題を解決するための手段】
【０００７】
上述した目的を達成するためにこの発明のある局面によれば、画像読取装置は、デジタル情報が埋め込まれた地紋パターンを含む原稿画像が形成された原稿を読み取り、原稿画像を出力する読取手段と、読取手段から出力される原稿画像から所定のパターンを検出する検出手段と、検出された所定のパターンを解析し、デジタル情報を抽出する抽出手段と、抽出されたデジタル情報に基づいて、出力するためのデータを制御するデータ制御手段と、を備える。
【０００８】
この局面に従えば、デジタル情報が埋め込まれた地紋パターンを含む原稿画像が形成された原稿が読み取られ、原稿画像から所定のパターンが検出される。そして、検出された所定のパターンが解析され、抽出されたデジタル情報に基づいて、データの出力が制御される。このため、原稿に画像を形成した後に、原稿に形成された画像またはその画像に埋め込まれたデジタル情報が機密情報を含んでいる場合、機密情報が出力されるのを防止することができる。その結果、原稿に形成された画像から機密が漏洩するのを防止することが可能な画像読取装置を提供することができる。
【０００９】
好ましくは、ユーザを識別するための識別情報を受け付けるユーザ識別手段をさらに備え、データ制御手段は、受け付けられた識別情報に基づいて、抽出されたデジタル情報のうちから出力する部分を選択する選択手段を含む。
【００１０】
この局面に従えば、ユーザを識別するための識別情報が受け付けられ、受け付けられた識別情報に基づいて、デジタル情報のうちから出力する部分が選択される。このため、ユーザにより出力可能なデジタル情報を異ならせることができる。
【００１１】
好ましくは、抽出されたデジタル情報が認証情報を含む場合、認証情報が受け付けられることを条件に認証する認証手段をさらに備え、データ制御手段は、抽出されたデジタル情報が認証情報を含む場合、認証手段により認証されることを条件にデジタル情報を表示する。
【００１２】
この局面に従えば、デジタル情報が認証情報を含む場合、認証情報が受け付けられることを条件に、デジタル情報が表示される。このため、デジタル情報が機密情報を含んでいる場合に、機密情報が漏洩するのを防止することができる。
【００１３】
好ましくは、記録媒体に画像を形成する画像形成手段をさらに備え、データ制御手段は、デジタル情報が原稿の複写を禁止する情報を含んでいる場合、画像形成手段による原稿画像の形成を禁止する。
【００１４】
この局面に従えば、デジタル情報が原稿の複写を禁止する情報を含んでいる場合、原稿画像を記録媒体に形成するのが禁止される。このため、原稿画像が機密情報を含んでいる場合に、機密情報が漏洩するのを防止することができる。
【００１５】
好ましくは、記録媒体に画像を形成する画像形成手段をさらに備え、データ制御手段は、デジタル情報が原稿の一部の複写を禁止する情報を含んでいる場合、原稿画像から原稿の複写が禁止されている部分を除く部分画像を生成する部分画像生成手段を含み、画像形成手段は、部分画像を記録媒体に形成する。
【００１６】
この局面に従えば、デジタル情報が原稿の一部の複写を禁止する情報を含んでいる場合、原稿画像から複写が禁止されている部分を除く部分画像が生成され、部分画像が記録媒体に形成される。このため、原稿画像のうち機密情報でない部分を記録媒体に形成することができる。
【００１７】
好ましくは、抽出手段は、読取手段により複数枚の原稿が読み取られる場合、検出手段により複数枚の原稿からそれぞれ検出される複数の所定のパターンをまとめて解析し、デジタル情報を抽出する。
【００１８】
この局面に従えば、複数枚の原稿が読み取られる場合、複数枚の原稿からそれぞれ検出される複数の所定のパターンがまとめて解析され、デジタル情報が抽出される。このため、複数枚の原稿に分けてデジタル情報を埋め込むことができる。
【００１９】
好ましくは、データ制御手段は、読取手段により複数枚の原稿が読み取られる場合、原稿画像が出力される毎に、デジタル情報の表示を切り換える。
【００２０】
好ましくは、データ制御手段は、抽出されたデジタル情報に基づいて、読取手段から出力される原稿画像の表示を制御する。
【００２１】
この局面に従えば、原稿画像の表示が制御されるので、原稿画像が機密情報を含んでいる場合に、原稿画像が表示されて機密が漏洩するのを防止することができる。
【００２２】
この発明の他の局面によれば、画像読取方法は、デジタル情報が埋め込まれた地紋パターンを含む原稿画像が形成された原稿を読み取るステップと、読み取って得られる原稿画像から所定のパターンを検出するステップと、検出された所定のパターンを解析し、デジタル情報を抽出するステップと、抽出されたデジタル情報に基づいて、出力するためのデータを制御するステップと、を含む。
【００２３】
この局面に従えば、原稿に形成された画像から機密が漏洩するのを防止することが可能な画像読取方法を提供することができる。
【００２４】
この発明のさらに他の局面によれば、画像読取プリグラムは、デジタル情報が埋め込まれた地紋パターンを含む原稿画像が形成された原稿を読み取るステップと、読み取って得られる原稿画像から所定のパターンを検出するステップと、検出された所定のパターンを解析し、デジタル情報を抽出するステップと、抽出されたデジタル情報に基づいて、出力するためのデータを制御するステップと、をコンピュータに実行させる。
【００２５】
この局面に従えば、原稿に形成された画像から機密が漏洩するのを防止することが可能な画像読取プログラムを提供することができる。
【発明を実施するための最良の形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
【００２７】
以下、画像読取装置の一例としてＭＦＰ（Ｍｕｌｔｉ  Ｆｕｎｃｔｉｏｎ  Ｐｅｒｉｐｈｅｒａｌ）を例に説明する。図１は、ＭＦＰの外観を示す斜視図である。図１を参照して、ＭＦＰ１００は、自動原稿搬送装置（ＡＤＦ）１０と、画像読取部２０と、画像形成部４０と、給紙部５０と、後処理部６０と、を含む。また、ＭＦＰ１００は、その上面にユーザとのユーザインターフェースとしての操作パネル９を備えている。
【００２８】
ＡＤＦ１０は、原稿給紙トレイ１１上にセットされた複数枚の原稿を１枚ずつ自動的に画像読取部２０のプラテンガラス上に設定された所定の原稿読み取り位置まで搬送し、画像読取部２０により原稿画像が読み取られた原稿を原稿排紙トレイ１２上に排出する。画像読取部２０は、原稿読取位置に搬送されてきた原稿に光を照射する光源と、原稿で反射し、レンズで集光された光を受光する光電変換素子とを含み、原稿のサイズに応じた原稿画像を走査する。光電変換素子は、受光した光を電気信号である原稿画像に変換して、画像処理部３０に出力する。給紙部５０は、給紙トレイに収納された用紙等の記憶媒体を画像形成部４０に搬送する。
【００２９】
画像処理部３０は、原稿画像にノイズ除去処理、文字強調処理、スムージング処理等の画像処理を施す。画像処理部３０についての詳細は後述する。画像形成部４０は、周知の電子写真方式により画像を形成するものであって、画像処理部３０から入力される原稿画像に基づいて、給紙部５０により搬送される用紙等の記録媒体に画像を形成する。
【００３０】
後処理部６０は、画像が形成された記録媒体を排出する。後処理部６０は、複数の排出トレイを有し、画像が形成された記録媒体をソートして排出することが可能である。また、後処理部６０は、パンチ穴加工部、ステープル加工部を備えており、排出された記録媒体にパンチ穴加工、またはステープル加工することが可能である。
【００３１】
なお、本実施の形態においては画像読取装置の一例としてＭＦＰ１００を例に説明するが、ＭＦＰ１００に代えて、たとえば、スキャナ、プリンタ、ファクシミリ、パーソナルコンピュータ等であってもよい。
【００３２】
図２は、ＭＦＰの回路構成の一例を示すブロック図である。図２を参照して、ＭＦＰ１００は、メイン回路１０１と、ファクシミリ部３と、通信制御部５と、を含む。メイン回路１０１は、自動原稿搬送装置（ＡＤＦ）１０と、画像読取部２０と、画像処理部３０と、画像形成部４０と、給紙部５０と、後処理部６０とに接続されている。
【００３３】
メイン回路１０１は、ＣＰＵ１１１と、ＣＰＵ１１１の作業領域として使用されるＲＡＭ１１２と、ＣＰＵ１１１が実行するプログラム等を記憶するためのフラッシュメモリ１１３と、ディスプレイ１１４と、操作部１１５と、大容量記憶装置としてのハードディスクドライブ（ＨＤＤ）１１６と、データ通信制御部１１７と、を含む。
【００３４】
ＣＰＵ１１１は、フラッシュメモリ１１３に記憶された画像読取プログラムを実行する。ＣＰＵ１１１は、ディスプレイ１１４、操作部１１５、ＨＤＤ１１６およびデータ通信制御部１１７と、それぞれ接続され、メイン回路１０１の全体を制御する。また、ＣＰＵ１１１は、ファクシミリ部３、通信制御部５、ＡＤＦ１０、画像読取部２０、画像形成部４０、給紙部５０、後処理部６０と接続され、ＭＦＰ１００の全体を制御する。
【００３５】
ディスプレイ１１４は、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等の表示装置であり、ユーザに対する指示メニューや取得した画像データに関する情報等を表示する。操作部１１５は、複数のキーを備え、キーに対応するユーザの操作による各種の指示、文字、数字などのデータの入力を受付ける。操作部１１５は、ディスプレイ１１４上に設けられたタッチパネルを含む。ディスプレイ１１４と、操作部１１５とで、ＭＦＰ１００の上面に設けられる操作パネル９が構成される。
【００３６】
データ通信制御部１１７は、ＴＣＰ（Ｔｒａｎｓｍｉｓｓｉｏｎ  Ｃｏｎｔｒｏｌ  Ｐｒｏｔｏｃｏｌ）またはＵＤＰ（Ｕｓｅｒ  Ｄａｔａｇｒａｍ  Ｐｒｏｔｏｃｏｌ）等の通信プロトコルで通信するためのインターフェースであるＬＡＮ端子１１８と、シリアル通信のためのシリアル通信インターフェース端子１１９とを有する。データ通信制御部１１７は、ＣＰＵ１１１からの指示に従って、ＬＡＮ端子１１８またはシリアル通信インターフェース端子１１９に接続された外部の機器との間でデータを送受信する。
【００３７】
ＬＡＮ端子１１８に、ネットワークに接続するためのＬＡＮケーブルが接続される場合、データ通信制御部１１７は、ＬＡＮ端子１１８を介して接続された他のＭＦＰまたはコンピュータと通信する。さらに、データ通信制御部１１７は、インターネットに接続された他のコンピュータと通信する。
【００３８】
シリアル通信インターフェース端子１１９に機器が接続された場合、データ通信制御部１１７は、シリアル通信インターフェース端子１１９に接続された機器、例えば、デジタルカメラ、デジタルビデオカメラまたは携帯情報端末との間で通信して画像データを入出力する。また、シリアル通信インターフェース端子１１９には、フラッシュメモリを内蔵したメモリカード１１９Ａが接続可能である。ＣＰＵ１１１は、データ通信制御部１１７を制御して、メモリカード１１９ＡからＣＰＵ１１１が実行するためのプログラムを読出し、フラッシュメモリ１１３に記憶することにより、プログラムを更新することが可能である。
【００３９】
なお、ＣＰＵ１１１が実行するためのプログラムを記憶する記録媒体としては、メモリカード１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の媒体でもよい。さらに、ＣＰＵ１１１がデータ通信制御部１１７を介して接続されたコンピュータからプログラムをダウンロードしてフラッシュメモリ１１３に記憶する、または、コンピュータがプログラムをフラッシュメモリ１１３に書込みするようにして、フラッシュメモリ１１３に記憶されたプログラムをＲＡＭ１１２にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００４０】
通信制御部５は、ＣＰＵ１１１を公衆交換電話網（ＰＳＴＮ）７に接続するためのモデムである。ＭＦＰ１００には、ＰＳＴＮ７における電話番号が予め割り当てられており、ＰＳＴＮ７に接続されたファクシミリ装置からＭＦＰ１００に割り当てられた電話番号に発呼があると、通信制御部５がその発呼を検出する。通信制御部５は、発呼を検出すると通話を確立し、ファクシミリ部３に通信させる。
【００４１】
ファクシミリ部３は、ＰＳＴＮ７に接続され、ＰＳＴＮ７にファクシミリデータを送信する、またはＰＳＴＮ７からファクシミリデータを受信する。
【００４２】
図３は、画像処理部３０の詳細な機能を示す機能ブロック図である。図３を参照して、画像処理部３０は、第１スキャナ画像処理部５１と、第２スキャナ画像処理装置と、圧縮・伸張処理部７１と、プリンタ画像処理部８１と、地紋検出部９１と、を含む。
【００４３】
第１スキャナ画像処理部５１は、画像読取部２０が出力する原稿画像が１ラインずつ入力される。第１スキャナ画像処理部５１は、シェーディング補正部５３と、ライン間補正部５５と、色収差補正部５７とを含む。
【００４４】
シェーディング補正部５３は、原稿画像の１ライン分から画像読取部２０が備える光源の照明ムラ等を除去する。シェーディング補正部５３は、シェーディング補正した原稿画像の１ライン分をライン間補正部５５に出力する。原稿画像の１ライン分のデータは、Ｒ（赤）データ、Ｇ（緑）データおよびＢ（青）データを含む。ライン間補正部５５は、Ｒデータ、ＧデータおよびＢデータそれぞれが原稿の同一ラインとなるようにＲデータ、ＧデータおよびＢデータを同期させる。色収差補正部５７は、画像読取部２０が備えるレンズによる主走査方向の歪を補正する。色収差補正部５７は、補正後の原稿画像を第２スキャナ画像処理部６１、地紋検出部９１およびＣＰＵ１１１に出力する。色収差補正部５７が出力する原稿画像は、Ｒ、ＧおよびＢの画像を含む。
【００４５】
第２スキャナ画像処理部６１は、解像度変換部６２と、下地飛ばし処理部６３と、領域判別部６５と、色変換部６４と、文字エッジ補正部６６と、誤差拡散部６７と、を含む。解像度変換部６２は、原稿画像を、ユーザが指定した解像度に変換する。下地飛ばし処理部６３は、次の領域判別部６５が領域を判別しやすくするために、原稿画像の下地部分の色を削除する。領域判別部６５は、原稿画像のうちから文字が表された文字領域と、写真や図形が表された写真領域とを抽出する。色変換部６４は、原稿画像をＲＧＢ色空間からＣＭＹ色空間に変換する。具体的には、原稿画像が含むＲ、ＧおよびＢの画像を、ＣＭＹおよびＫ（黒）の画像に変換する。文字エッジ補正部６６は、原稿画像の文字領域に対して、文字を強調する処理を施す。誤差拡散部６７は、原稿画像のうち写真領域に誤差拡散処理を施す。
【００４６】
圧縮・伸張処理部７１は、第２スキャナ画像処理部６１からＣＭＹおよびＫの画像を含む原稿画像が入力される。圧縮・伸張処理部７１は、原稿画像を圧縮し、ＲＡＭ１１２に記憶する。そして、ＣＰＵ１１１からの指示に従って、ＲＡＭ１１２に記憶された圧縮された原稿画像を読出し、伸張する。ＣＰＵ１１１から画像形成指示があるまで、原稿画像を伸張しないので、その間、原稿画像が記録媒体に形成されるのを禁止することができる。また、圧縮・伸張処理部７１は、ＣＰＵ１１１から原稿画像の形成を禁止する指示が入力されると、ＲＡＭ１１２に記憶されている圧縮された原稿画像を消去する。これにより、原稿画像が記録媒体に形成されるのを禁止することができる。
【００４７】
プリンタ画像処理部８１は、画像補正部８２と、画像合成部８３と、スクリーン処理部８４と、を含む。画像補正部８２は、圧縮・伸張処理部７１から原稿画像が入力される。また、画像補正部８２は、ＣＰＵ１１１からマスク指示が入力される。マスク指示は、原稿画像の一部の領域（マスク領域）を示す情報を含む。画像補正部８２は、マスク指示が入力されると、原稿画像の一部の領域を削除する。これにより、原稿画像の一部の画像が形成されるのを禁止することができる。
【００４８】
画像合成部８３は、ＣＰＵ１１１から地紋付加指示が入力される。地紋付加指示は、地紋パターンを含む。地紋パターンは、デジタル情報が埋め込まれた画像であり、より具体的には、デジタル情報に関連付けられた複数の地紋が配列された画像である。デジタル情報は、０と１とが配列された情報である。地紋は、サイズ、濃度の異なる複数のドットを所定の規則で配列した画像である。所定数の０と１との配列と、複数の地紋のうち１つとが予め関連付けられている。画像合成部８３は、ＣＰＵ１１１から地紋付加指示が入力されると、原稿画像に地紋付加指示に含まれる地紋パターンを合成する。これにより、地紋パターンを含む原稿画像が生成される。
【００４９】
スクリーン処理部８４は、原稿画像のスクリーン線の数、形状、角度等を最適にするスクリーン処理を実行する。スクリーン処理部８４は、処理後の原稿画像を、画像形成部４０に出力する。
【００５０】
地紋検出部９１は、解像度変換処理部９２と、前処理部９３と、地紋パターン検出部９４と、デジタル情報検出部９５と、を含む。解像度変換処理部９２は、第１スキャナ画像処理部から入力されるＲＧＢの原稿画像を、所定の解像度に変換する。所定の解像度は、予め定められた解像度であればよく、地紋パターンを検出するのに適した解像度であればよい。
【００５１】
前処理部９３は、原稿画像からノイズを除去するなどの処理を実行する。また、地紋パターンを検出するために原稿画像を２値化するなどの処理を実行するようにしてもよい。地紋パターン検出部９４は、原稿画像から複数の地紋を検出する。具体的には、予め定められた複数の地紋のいずれかが原稿画像に含まれていれば、その地紋を抽出する。そして、抽出した複数の地紋の配列順から地紋パターンを検出する。地紋パターン検出部９４は、原稿画像から検出した地紋パターンをデジタル情報検出部９５に出力する。
【００５２】
デジタル情報検出部９５は、地紋パターンからデジタル情報を検出する。地紋パターンは複数の地紋が配列されているため、複数の地紋それぞれに予め関連付けられた０と１との配列を、地紋の配列に従って配列することにより、デジタル情報を検出する。デジタル情報検出部９５は、検出したデジタル情報をＣＰＵ１１１に出力する。
【００５３】
図４は、ＣＰＵの機能の一例を示す機能ブロック図である。図４を参照して、ＣＰＵ１１１は、画像処理部３０からデジタル情報を受け付けるためのデジタル情報受付部１２１と、ディスプレイに表示するためのデジタル情報を制御する情報表示制御部１２３と、ＭＦＰ１００を操作するユーザを認証するためのユーザ認証部１２９と、画像処理部３０から原稿画像を受け付けるための原稿画像受付部１３５と、認証情報受付部１３３と、認証部１３１と、画像認証情報受付部１４５と、画像認証部１４３と、ディスプレイ１１４に表示するための原稿画像を制御するための画像表示制御部１３７と、画像形成部４０に画像形成させるための画像を制御するための画像形成制御部１５１と、を含む。
【００５４】
デジタル情報受付部１２１は、画像処理部３０からデジタル情報が入力されると、そのデジタル情報を受け付け、受け付けたデジタル情報を情報表示制御部１２３、認証部１３１、画像認証部１４３および画像形成制御部１５１に出力する。デジタル情報受付部１２１は、画像処理部３０が１つの原稿画像を処理するごとに、その原稿画像から検出されたデジタル情報を受け付ける。デジタル情報受付部１２１は、１つの原稿画像から検出されたデジタル情報が、それ単体で１つのデジタル情報を構成するか否かを判断する。複数の原稿画像にデジタル情報が分割して埋め込まれている場合、デジタル情報受付部１２１は、デジタル情報を部分的に受け付ける。このため、デジタル情報受付部１２１は、画像処理部３０から入力される複数の原稿画像にそれぞれ埋め込まれた複数のデジタル情報を、複数の原稿画像が読み取られるごとに受け付ける。デジタル情報受付部１２１は、原稿画像が読み取られるごとに受け付ける部分的なデジタル情報を、順にＲＡＭ１１２に記憶する。そして、デジタル情報受付部１２１は、１つのまとまりとしてのデジタル情報がＲＡＭ１１２に蓄積されると、ＲＡＭ１１２から１つのまとまりとしてのデジタル情報を読出し、情報表示制御部１２３、認証部１３１、画像認証部１４３および画像形成制御部１５１に出力する。
【００５５】
ユーザ認証部１２９は、ＭＦＰ１００を操作するユーザを認証する。ユーザが操作部１１５にユーザＩＤとパスワードとを入力すると、ユーザ認証部１２９は、操作部１１５からユーザＩＤとパスワードとを受け付ける。フラッシュメモリ１１３には、ユーザＩＤと、パスワードと、ＩＤレベルとを含むユーザレコードを少なくとも１つ含むユーザテーブルが予め記憶されている。ユーザ認証部１２９は、ユーザテーブルを参照して、受け付けたユーザＩＤとパスワードとを含むユーザレコードがフラッシュメモリ１１３に記憶されているか否かを判断する。ユーザ認証部１２９は、受け付けたユーザＩＤとパスワードとを含むユーザレコードがフラッシュメモリ１１３に記憶されていれば認証し、そうでなければ認証しない。ユーザ認証部１２９は、認証に成功すると、認証したユーザのユーザＩＤを情報表示制御部１２３に出力する。
【００５６】
認証部１３１は、デジタル情報受付部１２１からデジタル情報が入力される。デジタル情報が認証情報を含んでいる場合、認証部１３１は、ディスプレイ１１４に認証情報の入力をユーザに促すメッセージを表示する。ユーザが操作部１１５に認証情報を入力すると、認証情報受付部１３３は、操作部１１５から認証情報を受け付け、受け付けた認証情報を認証部１３１に出力する。認証部１３１は、デジタル情報に含まれる認証情報と、認証情報受付部１３３から入力される認証情報とを比較し、それらが一致すれば認証成功を示す信号を情報表示制御部１２３に出力する。
【００５７】
情報表示制御部１２３は、デジタル情報が認証情報を含んでいる場合、認証部１３１から認証成功を示す信号が入力されると、デジタル情報をディスプレイ１１４に表示するが、認証部１３１から認証成功を示す信号が入力されなければ、デジタル情報をディスプレイ１１４に表示しない。
【００５８】
情報表示制御部１２３は、選択部１２５と、禁止情報表示部１２７と、を含む。選択部１２５は、デジタル情報受付部１２１からデジタル情報が入力され、ユーザ認証部１２９からユーザＩＤが入力される。デジタル情報は、複数のＩＤレベルに分類されている。あるＩＤレベルに相当するデジタル情報の部分は、より低いＩＤレベルに相当する部分を含む。例えば、デジタル情報が、１〜５までの５段階のＩＤレベルに分類されている場合、ＩＤレベル１が最もレベルが高く、ＩＤレベル２、３、４、５の順にレベルが低いとすると、ＩＤレベル５に相当するデジタル情報の部分は、他のＩＤレベル１〜４に相当する部分に含まれる。また、ユーザ認証部１２９によりユーザＩＤが認証されず、ユーザ認証部１２９からユーザＩＤが入力されない場合は最も低いＩＤレベル５とされる。
【００５９】
選択部１２５は、フラッシュメモリ１１３に予め記憶されているユーザテーブルを参照し、ユーザ認証部１２９から入力されるユーザＩＤを含むユーザレコードを抽出し、そのユーザレコードに含まれるＩＤレベルを取得する。選択部１２５は、デジタル情報受付部１２１から入力されるデジタル情報のうちからＩＤレベルに相当する部分を抽出し、デジタル情報のうちから抽出した部分をディスプレイ１１４に表示する。このため、ユーザに予め付されたＩＤレベルによって、ディスプレイ１１４に表示するデジタル情報を異ならせることができる。
【００６０】
禁止情報表示部１２７は、デジタル情報受付部１２１からデジタル情報が入力される。禁止情報表示部１２７は、デジタル情報が原稿の複写を禁止する情報を含んでいる場合、原稿の複写が禁止されていることを示すメッセージをディスプレイ１１４に表示する。
【００６１】
画像認証部１４３は、デジタル情報受付部１２１からデジタル情報が入力される。デジタル情報が画像認証情報を含んでいる場合、画像認証部１４３は、ディスプレイ１１４に画像認証情報の入力をユーザに促すメッセージを表示する。ユーザが操作部１１５に認証情報を入力すると、画像認証情報受付部１４５は、操作部１１５から画像認証情報を受け付け、受け付けた画像認証情報を画像認証部１４３に出力する。画像認証部１４３は、デジタル情報に含まれる画像認証情報と、認証情報受付部１３３から入力される画像認証情報とを比較し、それらが一致すれば認証成功を示す信号を画像表示制御部１３７および画像形成制御部１５１に出力する。
【００６２】
原稿画像受付部１３５は、画像読取部２０から原稿画像が入力されると、その原稿画像を受け付け、受け付けた原稿画像を画像表示制御部１３７に出力する。
【００６３】
画像表示制御部１３７は、デジタル情報受付部１２１からデジタル情報が入力され、原稿画像受付部１３５から原稿画像が入力される。画像表示制御部１３７は、入力されるデジタル情報が画像認証情報を含んでいる場合、画像認証部１４３から認証成功を示す信号が入力されると、原稿画像をディスプレイ１１４に表示するが、画像認証部１４３から認証成功を示す信号が入力されなければ、原稿画像をディスプレイ１１４に表示しない。ここでは、画像表示制御部１３７がディスプレイに表示する画像を、プレビュー画像という。
【００６４】
なお、ここでは、画像認証情報と認証情報とが異なる場合を例に示したが、いずれか一方のみを用いるようにしてもよい。例えば認証情報のみを用いる場合、画像認証部１４３は、認証部１３１が認証成功を示す信号が入力されると、原稿画像をディスプレイ１１４に表示する。
【００６５】
画像表示制御部１３７は、部分画像生成部１３９と、プレビュー画像補正部１４１とを含む。部分画像生成部１３９は、デジタル情報が原稿の複写を部分的に禁止する情報を含んでいる場合、原稿画像の複写が禁止されている部分をマスクし、複写が禁止されていない部分を含む部分画像を生成する。部分画像生成部１３９は、生成した部分画像（プレビュー画像）をディスプレイ１１４に表示する。画像表示制御部１３７は、デジタル情報が原稿の複写を部分的に禁止する情報を含んでいる場合、画像認証部１４３から認証成功を示す信号が入力される前に、部分画像生成部１３９により生成された部分画像をディスプレイ１１４に表示し、画像認証部１４３から認証成功を示す信号が入力されるとディスプレイ１１４に原稿画像を表示する。
【００６６】
プレビュー画像補正部１４１は、デジタル情報が表示する原稿画像の表示方法を変更する情報を含む場合、表示するための原稿画像（プレビュー画像）を表示方法に従って補正する。表示方法を変更する情報は、例えば、表示する方向、明るさ、色味、解像度、大きさである。画像表示制御部１３７は、プレビュー画像補正部１４１により補正された原稿画像をディスプレイ１１４に表示する。
【００６７】
画像形成制御部１５１は、画像形成禁止部１５３と、部分画像生成指示部１５５と、地紋パターン合成指示部１５７と、を含む。画像形成禁止部１５３は、デジタル情報受付部１２１から入力されるデジタル情報が原稿の複写を禁止する情報を含んでいる場合、原稿画像の形成を禁止する指示を画像処理部３０の圧縮・伸張処理部７１に出力する。これにより圧縮・伸張処理部７１は、ＲＡＭ１１２に記憶した圧縮された原稿画像を消去するので、原稿画像が記録媒体に形成されることがない。
【００６８】
部分画像生成指示部１５５は、デジタル情報が原稿の複写を部分的に禁止する情報を含んでいる場合、原稿の複写が禁止されている部分をマスクするマスク指示を画像処理部３０の画像補正部８２に出力する。マスク指示は、原稿画像のマスクする領域を示すマスク領域情報を含む。これにより、画像処理部３０の画像補正部８２は、原稿画像のマスク領域情報で特定される領域の画像を部分的に削除した部分画像を生成するので、原稿の複写が禁止されている部分が記録媒体上に形成されることがない。
【００６９】
地紋パターン合成指示部１５７は、埋め込み情報受付部１５９から埋め込み情報が入力される。埋め込み情報受付部１５９は、ユーザが操作部１１５に入力する埋め込み情報を受け付ける。埋め込み情報は、表示用データ、表示用データの出力を制御するための情報、原稿画像の出力を制御するための情報を含む。表示用データの出力を制御するための情報は、表示用データの全体または少なくとも一部の表示を禁止する情報、表示用データに対応するＩＤレベルおよび認証情報を含む。原稿画像の出力を制御するための情報は、原稿画像の全体または少なくとも一部の表示を禁止する情報、原稿画像を補正するための情報、原稿画像の全体または少なくとも一部の画像形成を禁止する情報および画像認証情報を含む。原稿画像を補正するための情報は、原稿画像を表示する方向、明るさ、色味、解像度、大きさを含む。
【００７０】
地紋パターン合成指示部１５７は、埋め込み情報が入力されると、埋め込み情報をデジタル情報に変換する。埋め込み情報に対応して、予め定められた二進数のコードが定められており、その二進数のコードからなるデジタル情報に埋め込み情報を変換する。地紋パターン合成指示部１５７は、さらに、デジタル情報に基づいて、地紋の配列からなる地紋パターンを生成し、地紋パターンを含む地紋付加指示を画像処理部３０の画像合成部８３に出力する。これにより、画像合成部８３は、原稿画像に地紋パターンを合成するので、地紋パターンを含む原稿画像が記録媒体上に形成される。
【００７１】
図５は、操作パネル９に表示される画面の一例を示す第１の図である。図５においては、デジタル情報が、認証情報、および原稿のコピーを部分的に禁止する情報を含んでいる場合に表示される画面を示している。図５を参照して、ディスプレイ１１４は、メッセージを表示する領域と、プレビュー画像３０１と、パスワードを入力する領域３１１と、を含む。メッセージを表示する領域には、「セキュリティで保護された原稿が読み込まれました。保護を解除したい場合はパスワードを入力してください。」のメッセージが表示される。プレビュー画像３０１は、ハッチングで示す領域３０３，３０５が、マスクされる。ユーザが領域３１１にパスワードを入力すると、保護が解除される。
【００７２】
図６は、操作パネル９に表示される画面の一例を示す第２の図である。図６は、図５に示した画面の領域３１１にパスワードが入力された場合に、表示される画面を示している。ここでは、認証情報と画像認証情報とを同じにした例を示している。すなわち、領域３１１に入力される１つのパスワードが、デジタル情報に含まれる認証情報および画像認証情報と一致する場合に表示される画面を示している。図６を参照して、ディスプレイ１１４にデジタル情報に含まれる表示用データ３１０が表示される。また、プレビュー画像３０１Ａは、図５に示したプレビュー画像３０１と異なり、マスクされた領域３０３，３０５を含まず、原稿画像のすべての部分を含む。
【００７３】
図７は、画像読取処理の流れの一例を示すフローチャートである。画像読取処理は、ＣＰＵ１１１および画像処理部３０が、フラッシュメモリ１１３に記憶された画像読取プログラムを実行することにより、ＣＰＵ１１１または画像処理部３０により実行される処理である。図７を参照して、ＣＰＵ１１１または画像処理部３０は、原稿が読み取られた否かを判断する。画像読取部２０により原稿が読み取られるまで待機状態となり、画像読取部２０により原稿が読み取られたならば処理をステップＳ０２に進める。画像読取部２０が原稿を読み取ると、ＣＰＵ１１１は、画像読取部２０から原稿画像を受け付ける（ステップＳ０２）。
【００７４】
次のステップＳ０３においては、原稿画像が地紋パターンを含むか否かを判断する。原稿画像から予め定められた複数の地紋の少なくとも１つが抽出されたならば、地紋パターンを含むと判断する。原稿画像が地紋パターンを含むならば処理をステップＳ０４に進め、そうでなければ処理をステップＳ０７に進める。
【００７５】
ステップＳ０４においては、デジタル情報を検出する。具体的には、原稿画像から地紋パターンを抽出し、地紋パターンに含まれる複数の地紋にそれぞれ対応する０と１の配列の組を決定し、地紋の配列に従ってそれらを配列することにより、デジタル情報を決定する。
【００７６】
次のステップＳ０５においては、デジタル情報が表示用データを含むか否かを判断する。デジタル情報が表示用データを含むならば処理をステップＳ０６に進め、そうでなければ処理をステップＳ０７に進める。ステップＳ０６においては、デジタル情報表示処理を実行し、処理をステップＳ０７に進める。ステップＳ０７においては、画像出力処理を実行し、処理をステップＳ０８に進める。デジタル情報表示処理および画像出力処理については、後述する。
【００７７】
ステップＳ０８においては、次に読み取るべき原稿が存在するか否かを判断する。原稿が存在するならば処理をステップＳ０１に戻し、存在しなければ処理を終了する。ＡＤＦ１０に原稿が存在するか否かにより判断する。したがって、１枚の原稿が読み取られるごとに、デジタル情報および原稿画像がディスプレイ１１４に表示される。
【００７８】
図８は、デジタル情報表示処理の流れの一例を示すフローチャートである。デジタル情報表示処理は、図７のステップＳ０６において実行される処理である。図８を参照して、表示用データがプロテクトされているか否かを判断する（ステップＳ１１）。デジタル情報が認証情報（パスワード）を含むか否かを判断する。デジタル情報が認証情報を含むならば表示用データがプロテクトされていると判断する。表示用データがプロテクトされていれば処理をステップＳ１２に進めるが、そうでなければ処理をステップＳ１４に進める。
【００７９】
ステップＳ１２においては、ユーザにパスワードの入力を要求する。具体的には、ディスプレイ１１４にパスワードの入力を要求するメッセージを表示する。ユーザが操作部１１５にパスワードを入力すると、操作部１１５から入力されたパスワードを受け付ける。ステップＳ１３においては、ユーザが入力したパスワードが認証情報と一致するか否かを判断する。パスワードと認証情報とが一致すれば処理をステップＳ１４に進めるが、そうでなければ処理を画像読取処理に戻す。したがって、デジタル情報に含まれる認証情報と同じパスワードが入力されることを条件に、デジタル情報に含まれる表示用データを表示する。
【００８０】
ステップＳ１４においては、表示用データの表示が制限されているか否かを判断する。ここでは、デジタル情報がＩＤレベルにより分類されているか否かを判断する。デジタル情報がＩＤレベルより分類されていれば処理をステップＳ１５に進め、そうでなければ処理をステップＳ２３に進める。ステップＳ２３においては、表示用データのすべてをディスプレイ１１４に表示する。
【００８１】
ステップＳ１５においては、ユーザＩＤが入力済みか否かを判断する。ユーザ認証部１３１により認証されたユーザＩＤが受け付けられているか否かを判断する。ユーザＩＤが入力済であれば処理をステップＳ１６に進め、そうでなければ処理をステップＳ２１に進める。ステップＳ２１においては、デジタル情報に含まれる表示用データのうちＩＤレベルが設定されていない表示用データを選択し、処理をステップＳ２２に進める。レベルが設定されていない表示用データは、ユーザＩＤが入力されていない場合に表示される表示用データである。
【００８２】
ステップＳ１６においては、ユーザＩＤに対応するＩＤレベルにより処理を分岐する。フラッシュメモリ１１３に予め記憶されているユーザテーブルからユーザＩＤを含むユーザレコードを読出し、そのユーザレコードに含まれるＩＤレベルを取得する。ＩＤレベルがレベル１ならば処理をステップＳ２０に進め、ＩＤレベルがレベル２ならば処理をステップＳ１９に進め、ＩＤレベルがレベル３ならば処理をステップＳ１８に進め、ＩＤレベルがレベル４ならば処理をステップＳ１７に進める。
【００８３】
ステップＳ１７においては、デジタル情報に含まれる表示用データのうちレベル４以下に設定されている表示用データを選択し、処理をステップＳ２２に進める。レベル４以下に設定されている表示用データは、レベル４に設定されている表示用データと、レベル設定なしに設定されている表示用データとを含む。ステップＳ１８においては、デジタル情報に含まれる表示用データのうちレベル３以下に設定されている表示用データを選択し、処理をステップＳ２２に進める。ステップＳ１９においては、デジタル情報に含まれる表示用データのうちレベル２以下に設定されている表示用データを選択し、処理をステップＳ２２に進める。ステップＳ２０においては、デジタル情報に含まれる表示用データのうちレベル１以下に設定されている表示用データ、換言すれば表示用データのすべてを選択し、処理をステップＳ２２に進める。
【００８４】
ステップＳ２２においては、ステップＳ１７〜ステップＳ２１のいずれかで選択された表示用データをディスプレイ１１４に表示する。デジタル情報が、認証情報を含んでいれば、その認証情報が入力されることを条件にデジタル情報をディスプレイ１１４に表示するので、デジタル情報が機密情報を含む表示用データを含む場合、機密情報が漏洩するのを防止することができる。また、デジタル情報がＩＤレベルで分類された表示用データを含む場合、表示用データのうちＩＤレベルに対応する部分のみをディスプレイ１１４に表示するので、ＭＦＰ１００を操作するユーザごとに表示用データのうちから表示する部分を異ならせることができる。
【００８５】
図９は、画像出力処理の流れの一例を示すフローチャートである。画像出力処理は、図７に示した画像読取処理のステップＳ０７において実行される処理である。図９を参照して、ＣＰＵ１１１は、原稿画像に基づいて、プレビュー画像を作成する（ステップＳ３１）。ディスプレイ１１４に表示可能なサイズに原稿画像を縮小する縮小処理などを行う。
【００８６】
そして、コピー禁止原稿か否かを判断する（ステップＳ３２）。デジタル情報が原稿の複写を禁止する情報、または、原稿の一部の複写を禁止する情報を含んでいるか否かを判断する。コピー禁止原稿ならば処理をステップＳ３３に進め、そうでなければ処理をステップＳ４０に進める。
【００８７】
ステップＳ３３においては、原稿の複写が部分的に禁止されているか否かを判断する。デジタル情報が原稿の複写を禁止する情報と原稿の一部の複写を禁止する情報とのいずれを含んでいるかを判断する。原稿の一部の複写を禁止する情報を含んでいれば、部分的に禁止されていると判断し、処理をステップＳ３４に進める。原稿の複写を禁止する情報を含んでいれば、処理をステップＳ５１に進める。
【００８８】
ステップＳ３４においては、コピー禁止領域をマスクする。ステップＳ３１で作成したプレビュー画像のうち原稿の一部の複写を禁止する情報に含まれる領域を削除し、別の画像で置き換えることによりマスクする。そして、プレビュー画像をディスプレイ１１４に表示する（ステップＳ３５）。
【００８９】
次のステップＳ３６においては、ユーザに画像パスワードの入力を要求する。具体的には、ディスプレイ１１４に画像パスワードの入力を要求するメッセージを表示する。ユーザが操作部１１５に画像パスワードを入力すると、操作部１１５から入力された画像パスワードを受け付ける。ステップＳ３７においては、ユーザが入力した画像パスワードがデジタル情報に含まれる画像認証情報と一致するか否かを判断する。画像パスワードと画像認証情報とが一致すれば処理をステップＳ３８に進めるが、そうでなければ処理をステップＳ３９に進める。ステップＳ３８においては、プレビュー画像のマスクを除去する。具体的には、ステップＳ３５で表示したプレビュー画像に代えて、ステップＳ３１で作成したプレビュー画像をディスプレイ１１４に表示する。
【００９０】
ステップＳ３９においては、部分画像を生成し、処理をステップＳ４０に進める。具体的には、画像処理部３０にマスク指示を出力する。マスク指示は、デジタル情報に含まれる原稿画像の一部の領域（マスク領域）を示す情報を含む。これにより、画像補正部８２により原稿画像の一部の領域が削除されるので、原稿画像の一部の画像が形成されるのを禁止することができる。
【００９１】
ステップＳ４０においては、表示方法が変更されているか否かを判断する。デジタル情報が表示方法を変更する情報を含むか否かを判断する。デジタル情報が表示方法を変更する情報を含むならば処理をステップＳ４１に進め、そうでなければ処理をステップＳ４２に進める。
【００９２】
ステップＳ４１においては、プレビュー画像を表示方法に従って補正する（ステップＳ４１）。例えば、プレビュー画像を表示する方向、明るさ、色味、解像度、大きさを補正する。ステップＳ４２においては、プレビュー画像をディスプレイ１１４に表示する。
【００９３】
ステップＳ４３においては、原稿画像を画像形成し、処理を画像読取処理に戻す。具体的には、画像処理部３０の圧縮・伸張処理部７１に画像形成指示を出力する。これにより、圧縮・伸張処理部７１によりＲＡＭ１１２に記憶された原稿画像が読み出され、伸張され、プリンタ画像処理部８１に出力されるので、画像形成部４０により原稿画像が記録媒体に形成される。
【００９４】
一方、ステップＳ５１においては、ステップＳ３６と同様に、ユーザに画像パスワードの入力を要求する。ステップＳ５２においては、ユーザが入力した画像パスワードがデジタル情報に含まれる画像認証情報と一致するか否かを判断する。画像パスワードと画像認証情報とが一致すれば処理をステップＳ４０に進めるが、そうでなければ処理をステップＳ５３に進める。
【００９５】
ステップＳ５３においては、原稿画像を削除し、処理を画像読取処理に戻す。具体的には、圧縮・伸張処理部７１に原稿画像の形成を禁止する指示を出力する。これにより、圧縮・伸張処理部７１がＲＡＭ１１２に記憶されている圧縮された原稿画像を消去するので、原稿画像が記録媒体上に形成されるのが禁止される。
【００９６】
図１０は、画像読取処理の別の流れを示すフローチャートである。この画像読取処理は、デジタル情報が、複数の原稿画像に分けて埋め込まれている場合に実行される処理である。図１０を参照して、図７に示した画像読取処理と異なる点は、ステップＳ０４とステップＳ０５との間にステップＳ０４Ａが追加された点である。その他の処理は、図７に示した処理と同じなので、ここでは説明を繰り返さない。
【００９７】
ステップＳ０４において、デジタル情報が検出された場合、ステップＳ０４Ａにおいて、全デジタル情報の検出が完了したか否かを判断する。デジタル情報に、途中または最終であることを示す情報を含めるようにすればよい。最終のデジタル情報を検出したならば処理をステップＳ０５に進めるが、そうでなければ処理をステップＳ０１に戻す。すなわち、最終のデジタル情報を検出するまで、原稿を読み取るようにし、すべてのデジタル情報が揃ってから処理をステップＳ０５に進める。このため、１枚の原稿に埋め込むことのできる情報の上限値をデジタル情報が超える場合であっても、複数の原稿にデジタル情報を分けて埋め込むことができる。また、複数の原稿に分けてデジタル情報が埋め込まれている場合であっても、複数の原稿を読み取って、すべてのデジタル情報が揃った時点で、デジタル情報に対する表示制御、または原稿画像に対する表示またはプリント制御をすることができる。
【００９８】
なお、本実施の形態においては、原稿画像の出力処理の一例として、画像形成部４０による画像形成する場合を示したが、出力処理は、画像形成する処理の他に、フラッシュメモリ１１３等の記憶媒体へ記憶する処理、および他の装置へ送信する処理を含む。
【００９９】
また、上述した実施の形態においては、画像読取装置の一例としてＭＦＰ１００について説明したが、図７〜図１０に示した処理をコンピュータに実行させるための画像読取方法、または画像読取プログラムとして発明を捉えることができるのは言うまでもない。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０１０１】
＜付記＞
（１）  前記表示手段は、抽出された前記デジタル情報が前記原稿の複写を禁止する情報を含んでいる場合、前記原稿の複写が禁止されていることを表示する、請求項４に記載の画像読取装置。
（２）  前記データ制御手段は、前記デジタル情報が前記原稿の一部の複写を禁止する情報を含んでいる場合、前記原稿画像から前記原稿の複写が禁止されている前記部分を除く部分画像を生成する部分画像生成手段を含み、前記部分画像を表示する、請求項８に記載の画像読取装置。
【図面の簡単な説明】
【０１０２】
【図１】ＭＦＰの外観を示す斜視図である。
【図２】ＭＦＰの回路構成の一例を示すブロック図である。
【図３】画像処理部の詳細な機能を示す機能ブロック図である。
【図４】ＣＰＵの機能の一例を示す機能ブロック図である。
【図５】操作パネルに表示される画面の一例を示す第１の図である。
【図６】操作パネルに表示される画面の一例を示す第２の図である。
【図７】画像読取処理の流れの一例を示すフローチャートである。
【図８】デジタル情報表示処理の流れの一例を示すフローチャートである。
【図９】画像出力処理の流れの一例を示すフローチャートである。
【図１０】画像読取処理の別の流れを示すフローチャートである。
【符号の説明】
【０１０３】
９  操作パネル、１０  ＡＤＦ、２０  画像読取部、３０  画像処理部、４０  画像形成部、５０  給紙部、６０  後処理部、５１  スキャナ画像処理部、５３  シェーディング補正部、５５  ライン間補正部、５７  色収差補正部、６１  スキャナ画像処理部、６２  解像度変換部、６３  下地飛ばし処理部、６４  色変換部、６５  領域判別部、６６  文字エッジ補正部、６７  誤差拡散部、７１  圧縮・伸張処理部、８１  プリンタ画像処理部、８２  画像補正部、８３  画像合成部、８４  スクリーン処理部、９１  地紋検出部、９２  解像度変換処理部、９３  前処理部、９４  地紋パターン検出部、９５  デジタル情報検出部、１００  ＭＦＰ、１０１  メイン回路、１１１  ＣＰＵ、１１２  ＲＡＭ、１１３  フラッシュメモリ、１１４  ディスプレイ、１１５  操作部、１１６  ＨＤＤ、１１７  データ通信制御部、１１９Ａ  メモリカード、１２１  デジタル情報受付部、１２３  情報表示制御部、１２５  選択部、１２７  禁止情報表示部、１２９  ユーザ認証部、１３１  認証部、１３３  認証情報受付部、１３５  原稿画像受付部、１３７  画像表示制御部、１３９  部分画像生成部、１４１  プレビュー画像補正部、１４３  画像認証部、１４５  画像認証情報受付部、１５１  画像形成制御部、１５３  画像形成禁止部、１５５  部分画像生成指示部、１５７  地紋パターン合成指示部、１５９  埋め込み情報受付部、３０１，３０１Ａ  プレビュー画像、３１０  表示用データ。
【図１】
2008271099.tif 000003
【図２】
2008271099.tif 000004
【図３】
2008271099.tif 000005
【図４】
2008271099.tif 000006
【図５】
2008271099.tif 000007
【図６】
2008271099.tif 000008
【図７】
2008271099.tif 000009
【図８】
2008271099.tif 000010
【図９】
2008271099.tif 000011
【図１０】
2008271099.tif 000012